(57)【要約】【課題】透過する光の波長を調整することができ、特に農作物の育成過程において有用なチャック付き多層フィルム包装袋の提供。【解決手段】複数の合成樹脂フィルム３，４が中間層６を介して積層されている多層フィルム５を用いて袋状に形成され、開口部に開閉可能なチャック８を備えたチャック付き多層フィルム包装袋１において、中間層６には、１又は複数種の色素が含有され、多層フィルム５を所望の波長の光が透過するようにした。【選択図】図１
2018177237.tif 000002
【特許請求の範囲】
【請求項１】
複数の合成樹脂フィルムが中間層を介して積層されている多層フィルムを用いた袋状に形成され、開口部に開閉可能なチャックを備えたチャック付き多層フィルム包装袋において、
前記中間層には、１又は複数種の色素が含有され、前記多層フィルムを所望の波長の光が透過するようにしたことを特徴とするチャック付き多層フィルム包装袋。
【請求項２】
前記中間層には、少なくとも１又は複数種の蛍光色素が含有されている請求項１に記載のチャック付き多層フィルム包装袋。
【請求項３】
前記色素は、０．０３〜０．０９ｇ／ｍ２の濃度で含有されている請求項１又は２に記載のチャック付き多層フィルム包装袋。
【請求項４】
前記中間層又は前記合成樹脂フィルムに光安定剤を含有する請求項１〜３の何れか一に記載のチャック付き多層フィルム包装袋。
【請求項５】
前記多層フィルムは、通孔を備えている請求項１〜４の何れか一に記載のチャック付き多層フィルム包装袋。
【請求項６】
前記チャックには、内容物より突出した軸状部を挿通させる軸挿通部を備えている請求項１〜５の何れか一に記載のチャック付き多層フィルム包装袋。
【発明の詳細な説明】
【技術分野】
【０００１】
本発明は、透過する光の波長を調節することが可能な多層フィルムを用いた包装袋、特に果実や野菜等の農作物の育成過程において有用なチャック付き多層フィルム包装袋に関する。
【背景技術】
【０００２】
農園等における果実や野菜等の農作物栽培においては、太陽光等の光の波長が育成や色付きに大きく影響するところ、栽培場所等の日照条件や栽培する農作物の種類、その他の諸条件によって果実や野菜等の農作物に照射される光の状況が異なる。
【０００３】
例えば、ホワイトアスパラガスや一部の桃のように着色を防止したい農作物においては、太陽光を遮断する必要があり、一方、ブドウ等の色付きのある農作物においては、光の届きにくい場所であると、色付きに必要な光が不十分となるおそれがあった。
【０００４】
従来、太陽光を遮断する方法としては、育成中の果実や野菜を紙製の包装体で包む方法が知られている。
【０００５】
また、従来では、紫外線吸収剤を含有する袋状の包装体が知られており（例えば、特許文献１を参照）、これを用いて紫外線を遮断することも可能である。
【０００６】
一方、果実や野菜等のビニールハウス栽培では、ビニールハウスを構成するフィルム自体に色素を練り込み、ビニールハウス内に照射される光の波長を調整することができる農業用波長変換フィルムを使用し、果実や野菜の栽培を促進する方法も知られている（例えば、特許文献２を参照）。
【先行技術文献】
【特許文献】
【０００７】
【特許文献１】特許第４３５２１６９号公報
【特許文献２】特開２００１−２３１３８１号公報
【発明の概要】
【発明が解決しようとする課題】
【０００８】
しかしながら、上述の如く紙製の包装体で果実や野菜等の農作物を覆う場合には、太陽光を遮断するものであるため、紫外線とともに果実や野菜の育成過程において有用な波長の光も遮断されてしまうという問題があった。
【０００９】
また、特許文献１の如き紫外線吸収剤を含有する袋状の包装体では、好適に紫外線を遮断することができるが、透過する光の波長を調整する機能はなく、果実や野菜等の農作物の育成過程において有用なものではなかった。
【００１０】
さらに、特許文献２の如き農業用波長変換フィルムは、ビニールハウスを構成するビニール等へは適用できるが、フィルムを構成する樹脂自体に色素が練り込まれ、フィルム表面に色素が露出するため、果実や野菜等の農作物に直接触れるような包装体に適していないという問題があった。
【００１１】
そこで、本発明は、このような従来の問題に鑑み、透過する光の波長を調整することができ、特に農作物の育成過程において有用なチャック付き多層フィルム包装袋の提供を目的としてなされたものである。
【課題を解決するための手段】
【００１２】
上述の如き従来の問題を解決するための請求項1に記載の発明の特徴は、複数の合成樹脂フィルムが中間層を介して積層されている多層フィルムを用いた袋状に形成され、開口部に開閉可能なチャックを備えたチャック付き多層フィルム包装袋において、前記中間層には、１又は複数種の色素が含有され、前記多層フィルムを所望の波長の光が透過するようにしたことにある。
【００１３】
請求項２に記載の発明の特徴は、請求項１の構成に加え、前記中間層には、少なくとも１又は複数種の蛍光色素が含有されていることにある。
【００１４】
請求項３に記載の発明の特徴は、請求項１又は２の構成に加え、前記色素は、０．０３〜０．０９ｇ／ｍ２の濃度で含有されていることにある。
【００１５】
請求項４に記載の発明の特徴は、請求項１〜３の何れか一の構成に加え、前記中間層又は前記合成樹脂フィルムに光安定剤を含有することにある。
【００１６】
請求項５に記載の発明の特徴は、請求項１〜４の何れか一の構成に加え、前記多層フィルムは、通孔を備えていることにある。
【００１７】
請求項６に記載の発明の特徴は、請求項１〜５の何れか一の構成に加え、前記チャックには、内容物より突出した軸状部を挿通させる軸挿通部を備えていることにある。
【発明の効果】
【００１８】
本発明に係るチャック付き多層フィルム包装袋は、請求項１の構成を具備することによって、多層フィルムを透過する太陽光等の光の波長を内容物に適した波長に調整することができ、不必要な波長を遮断するとともに、有用は波長を増幅して透過させることができる。また、色素が直接内容物に触れることがないので、内容物への色素の付着を防止することができ、農作物等の包装にも適用することができる。さらに、このチャック付き多層フィルム包装袋は、シーラー等に依らずに何度でも開閉することができ、内容物を包む作業及び取り外す作業を容易に行うことができる。
【００１９】
また、本発明において、請求項２の構成を具備することによって、好適に光を吸収し、多層フィルムを透過する光の波長を所望の波長に変換することができる。
【００２０】
さらに、本発明において、請求項３の構成を具備することによって、多層フィルムを透過する光の波長を果実や野菜などの栽培する農作物毎にそれぞれ適した波長に調整できる。
【００２１】
さらにまた、本発明において、請求項４の構成を具備することによって、多層フィルムの耐光性が向上し、長期間にわたる使用に耐えることができる。
【００２２】
また、本発明において、請求項５の構成を具備することによって、包装袋内に生じた水蒸気等を包装体外へ放出でき、包装体内の湿気が調整され、湿気による内容物の劣化を防止することができる。
【００２３】
また、請求項６の構成を具備することによって、果実等の農作物を木に生った状態で包み込むことができる。
【図面の簡単な説明】
【００２４】
【図１】本発明に係るチャック付き多層フィルム包装袋の一例を示す正面図である。
【図２】同上の縦断面図である。
【図３】同上のチャック付き多層フィルム包装袋を構成する多層フィルムを示す部分拡大断面図である。
【図４】同上の開口部及びその閉鎖手段を構成するチャックの一例を示す断面図である。
【図５】本発明に係る農作物の栽培方法の実施態様の一例を示す正面図である。
【図６】同上の縦断面図である。
【発明を実施するための形態】
【００２５】
次に、本発明に係るチャック付き多層フィルム包装袋の実施態様を図１〜図４に示した実施例に基づいて説明する。尚、図中符号１はチャック付き多層フィルム包装袋、符号２は農作物等の内容物である。
【００２６】
チャック付き多層フィルム包装袋１は、図１、図２に示すように、複数の合成樹脂フィルム３，４が積層されてなる多層フィルム５によって上端が開口した袋状に形成されている。
【００２７】
また、このチャック付き多層フィルム包装袋１は、内容物２を包んだ状態で開口部を開閉可能に閉鎖するチャック８を備えている。
【００２８】
多層フィルム５は、図３に示すように、チャック付き多層フィルム包装袋１の内側に配置される内層合成樹脂フィルム３と、チャック付き多層フィルム包装袋１の外側に配置される外層合成樹脂フィルム４とが中間層６を介して貼り合わされ、多層構造を成している。
【００２９】
内層合成樹脂フィルム３は、無色透明な熱可塑性樹脂、例えば、ポリエチレン又はポリプロピレンによって構成され、薄いシート状に形成されている。尚、内層合成樹脂フィルム３の厚みは、特に限定されるものではないが、通常２０μｍから１００μｍのものが使用され、２０μｍから６０μｍ程度であることが好ましい。
【００３０】
外層合成樹脂フィルム４は、無色透明な熱可塑性樹脂、例えば、ポリエチレン、ポリプロピレン、ポリエチレンテレフタレート、ナイロンによって構成され、薄いシート状に形成されている。尚、外層合成樹脂フィルム４の厚みは、特に限定されるものではないが、通常１０μｍから１００μｍのものが使用され、１０μｍから５０μｍ程度であることが好ましい。
【００３１】
中間層６は、ポリウレタン系樹脂からなる接着剤又は印刷インキのバインダー等によって構成され、内層合成樹脂フィルム３と外層合成樹脂フィルム４とを互いに貼着させるようになっている。
【００３２】
この中間層６には、中間層６を構成する樹脂に１又は複数種類の色素が０．０３〜０．０９ｇ／ｍ２の濃度で含有され、多層フィルム５を透過する光の波長が農作物の生育等に不要な波長を遮断し、農作物に応じた必要な波長の光が透過するように調整されている。
【００３３】
中間層６に含有される色素には、アゾ系、シアニン系、ペリレン系等からなる色素を使用し、内容物２に応じて、例えば、青色色素等を適宜選択して青色蛍光色素とともに含有するようにしてもよい。
【００３４】
また、中間層６又は合成樹脂フィルム３，４を構成する樹脂には、光安定剤が含有され、多層フィルム５の耐光性が向上し、果実や野菜等の農作物を収穫するまでの長期間にわたる使用に耐えられるようになっている。
【００３５】
この光安定剤は、色素に対し５％濃度で中間層６又は合成樹脂フィルム３，４を構成する樹脂に含有されている。
【００３６】
また、この多層フィルム５は、所定の間隔を置いて複数の通孔７，７…を備え、通孔７，７…を通して袋状のチャック付き多層フィルム包装袋１の内外で水蒸気及び空気が行き来でき、チャック８を閉じた状態でもチャック付き多層フィルム包装袋１内に湿気が籠らないようになっている。
【００３７】
通孔７，７…は、多層フィルム５を厚み方向に貫通した小径の孔であって、遮光性を損なわない程度の間隔で配置されている。
【００３８】
尚、通孔７，７…の直径は、１０μｍ〜２００μｍ程度、望ましくは、直径５０μｍ〜１００μｍであって、十分に小径であることから、通水性、通気性を確保しつつ、包装体内部への虫などの侵入が防止されている。
【００３９】
チャック８は、例えば、図４に示すように、互いに嵌合する合成樹脂製の一対の雌封止体９と雄封止体１０とを備え、雌雄封止体９，１０を嵌合させることによって開口部を閉鎖できるようになっている。
【００４０】
一方、雌封止体９は、一方の多層フィルム５内面に固着されたテープ状の基台部９ａと、基台部９ａの表面に一体に突設され、先端部に雌側鈎爪部を有する断面鈎状の一対の雌鈎突条９ｂ，９ｂを備えるとともに、両雌鈎突条９ｂ，９ｂ間に密封用突条９ｃが突設されている。
【００４１】
雄封止体１０は、開口部を成す他方の多層フィルム５内面に固着されたテープ状の基台部１０ａと、基台部１０ａの表面に一体に突設され、先端部に雄側鈎爪部を有する断面鈎状の一対の雌鈎突条１０ｂ，１０ｂとを備えている。
【００４２】
そして、チャック８は、両雄鈎突条１０ｂ，１０ｂを雌鈎突条９ｂ，９ｂの内側に挿入することによって雌雄両者間の両鈎爪部が互いに係合されるとともに密封用突条９ｃが両雄鈎突条１０ｂ，１０ｂ間に圧入され、シーラーを用いずとも開口部を塞ぐことができ、且つ、何度でも再使用ができるようになっている。
【００４３】
また、チャック８には、内容物２より突出した軸状部２ａ、例えば、ブドウ、林檎、梨等の木に生る果実の軸等を挿通させる軸挿通部１１を備えている。
【００４４】
軸挿通部１１は、例えば、重ねられた一対の多層フィルム５及びチャック８を貫通する貫通孔１１ａを設けることにより形成され、当該貫通孔１１ａによってチャック８を分断することにより分断されたチャック８間に軸挿通部１１が形成されている。
【００４５】
貫通孔１１ａは、軸状部２ａの直径より大きく、且つ、内容物２よりも小さく形成され、閉じられたチャック８を内容物２が通過できないようになっている。
【００４６】
よって、開口部を開いた状態でチャック付き多層フィルム包装袋１を内容物２に被せ、且つ、チャック８を閉じることによって、チャック８が内容物２に係止され、内容物２を包んだ状態でチャック付き多層フィルム包装袋１が内容物２より脱落しないようになっている。
【００４７】
尚、チャック８の態様は、上述の実施例に限定されず、何度でも開閉可能なチャック構造であればよい。
【００４８】
このように構成されたチャック付き多層フィルム包装袋１は、図５、図６に示すように、チャック８を開いた状態で、下方より農作物２に被せ、チャック８を閉じて農作物２を包むことができる。
【００４９】
その際、農作物の軸２ａを軸挿通部１１に通すことによってチャック８を閉じることができ、チャック８が農作物２に係止され、農作物２を包んだ状態でチャック付き多層フィルム包装袋１が農作物２より落下しないようになる。
【００５０】
そして、チャック付き多層フィルム包装袋１によって包まれた果実等の農作物２は、多層フィルム５を透過する光の波長が調整されているので、太陽光等の光の波長のうち、果実や野菜等の農作物２の育成に不必要な波長がカットされるとともに、ブドウ等の果実の色付き等に有用な波長が増幅されるので、通常では太陽光が届き難い場所であっても、色付きや育成が促進される。
【００５１】
次に、本発明に係るチャック付き多層フィルム包装袋１の効果を確認するために行った試験について説明する。
【００５２】
本試験は、下記の表１に示す実施例１〜５及び比較例１〜４のチャック付き多層フィルム包装袋（２２０ｍｍ×３１０ｍｍ）を使用し、各チャック付き多層フィルム包装袋で包んだブドウの着色状態をそれぞれ５つの検体について確認した。
【表１】
2018177237.tif 000003
【００５３】
（評価方法）
検体となるブドウは、ブドウ園において、日照時間が通常の半分になるようにし、図５、図６のようにチャック付き多層フィルム包装袋１でブドウ２を包み、２か月後の色付き具合を比較した。なお、色付きは、１．ほとんど色付きなし  ２．略色付きなし  ３．半分程度色付いている  ４．略色付いている  ５．全体に色付きが完了しているの５段階で評価した。
【００５４】
（色付き評価１）
実施例1から３のチャック付き多層フィルム包装袋と比較例１のチャック付き多層フィルム包装袋を使用し、フィルム仕様（色素及び光安定剤）の違いによるブドウの色付き状態を評価した結果を表２に示す。
【表２】
2018177237.tif 000004
中間層に色素を含有しない比較例１では、色付きが認めらなかった。一方、中間層に色素を含む本願発明に係るチャック付き多層フィルム包装袋を使用した実施例１〜３では、いずれも良好な色付きが確認された。特に、青色蛍光色素を使用し、且つ、光安定剤を含有した実施例１は、最も安定した良好な色付きが確認された。
【００５５】
（着色評価２）
実施例１、４、５と比較例２、３のチャック付き多層フィルム包装袋を使用し、色素濃度によるブドウの着色状態を比較した結果を表３に示す。
【表３】
2018177237.tif 000005
色素濃度の薄い比較例２及び濃い比較例３では、色付きが認めらなかった。一方、色素濃度が０．０３〜０．０９ｇ／ｍ２の範囲に含まれる実施例１、４及び５では、良好な色付きが確認された。
【００５６】
（着色評価３）
実施例１と比較例４のチャック付き多層フィルム包装袋を使用し、通孔の有無によるブドウの色付き及びその育成状態について比較した結果を表４に示す。
【表４】
2018177237.tif 000006
【００５７】
実施例１及び実施例４は、いずれも良好な色付きが確認され、通孔を設けたことによる性能の低下は確認されなかった。一方、比較例４では、袋内で発生した湿気が外部に放出されず、チャック付き多層フィルム包装袋内に水分が溜まりブドウに腐敗が発生した。
【００５８】
尚、上述の実施例では、果実や野菜の農作物を内容物とする場合について説明したが、本発明に係るチャック付き多層フィルム包装袋１の用途は、これに限定されず、例えば、肉や魚等の生鮮食品の包装や電子部品の包装等に適用してもよい。
【００５９】
また、上述の実施例では、チャック付き多層フィルム包装袋１に通孔７，７及び軸挿通部１１を備えた例について説明したが、用途によって通孔７，７及び軸挿通部１１の何れか又は両方を設けずともよい。
【符号の説明】
【００６０】
１  チャック付き多層フィルム包装袋
２  内容物（農作物）
３  内層合成樹脂フィルム
４  外層合成樹脂フィルム
５  多層フィルム
６  中間層
７  通孔
８  チャック
９  雌封止体
１０  雄封止体
１１  軸挿通部
【図１】
2018177237.tif 000007
【図２】
2018177237.tif 000008
【図３】
2018177237.tif 000009
【図４】
2018177237.tif 000010
【図５】
2018177237.tif 000011
【図６】
2018177237.tif 000012